(57)【特許請求の範囲】
【請求項１】
竪樋の筒状体と内部空間が隔てられてこの筒状体の外周面から外側に突出するとともに前記筒状体の軸方向へ延在する中空状の取付リブと、
前記取付リブを嵌入可能な嵌入溝を備えて形成され、外壁に固定して設置するとともに前記嵌入溝に前記取付リブを嵌入して前記竪樋を支持固定する竪樋支持具と、
前記軸方向の上方に開口する前記取付リブの端部に取り付けて前記中空部の開口を閉塞させる端部キャップとを備えていることを特徴とする竪樋の取付構造。
【請求項２】
竪樋の筒状体の外周面から外側に突出するとともに前記筒状体の軸方向へ延在する中空状の取付リブと、
前記取付リブを嵌入可能な嵌入溝を備えて形成され、外壁に固定して設置するとともに前記嵌入溝に前記取付リブを嵌入して前記竪樋を支持固定する竪樋支持具と、
前記軸方向の上方に開口する前記取付リブの端部を覆って前記中空部の開口を閉塞させる端部キャップとを備えていることを特徴とする竪樋の取付構造。
【発明の詳細な説明】
【技術分野】
【０００１】
本発明は、竪樋の取付構造に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具を備えた竪樋の取付構造が提案されている。
【０００４】
例えば、特許文献１に開示された竪樋の取付構造では、竪樋は、外周面から外側に突出し先端に膨出状の係止部を備えるとともに竪樋の軸方向に延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
また、取付リブを中空状で形成し、この中空部を備えた取付リブと竪樋支持具で構成した竪樋の取付構造がある。そして、この竪樋の取付構造においては、取付リブを竪樋支持具の嵌入溝に嵌入した際に、竪樋支持具を弾性変形させるとともに取付リブを弾性変形させることができ、施工性を向上させることができる。
【０００８】
この一方で、中空部を備えた取付リブと竪樋支持具で構成した竪樋の取付構造では、中空部が竪樋の軸方向の上端や下端に開口して取付リブが形成されるため、取付リブを竪樋支持具に嵌入して竪樋を取り付けた後に、取付リブの中空部内に水が浸入する可能性がある。このため、例えば寒冷地で使用した場合には、中空部に浸入した水が凍結し、膨張圧によって取付リブなどに損傷を与えることも考えられ、この点で改善の余地が残されていた。
【０００９】
本発明が解決しようとする課題は、取付リブの中空部に水が浸入することを確実に防止できる竪樋の取付構造を提供することにある。
【課題を解決するための手段】
【００１０】
請求項１記載の竪樋の取付構造は、竪樋の筒状体と内部空間が隔てられてこの筒状体の外周面から外側に突出するとともに前記筒状体の軸方向へ延在する中空状の取付リブと、前記取付リブを嵌入可能な嵌入溝を備えて形成され、外壁に固定して設置するとともに前記嵌入溝に前記取付リブを嵌入して前記竪樋を支持固定する竪樋支持具と、前記軸方向の上方に開口する前記取付リブの端部に取り付けて前記中空部の開口を閉塞させる端部キャップとを備えていることを特徴とする。
請求項２に記載の竪樋の取付構造は、竪樋の筒状体の外周面から外側に突出するとともに前記筒状体の軸方向へ延在する中空状の取付リブと、前記取付リブを嵌入可能な嵌入溝を備えて形成され、外壁に固定して設置するとともに前記嵌入溝に前記取付リブを嵌入して前記竪樋を支持固定する竪樋支持具と、前記軸方向の上方に開口する前記取付リブの端部を覆って前記中空部の開口を閉塞させる端部キャップとを備えていることを特徴とする。
【発明の効果】
【００１１】
請求項１記載の竪樋の取付構造においては、取付リブの端部側に端部キャップを取り付けることにより、取付リブの中空部の開口を閉塞することができる。これにより、取付リブの中空部内に水が浸入することがなく、中空部内に浸入した水が凍結して取付リブなどに損傷が生じることを防止できる。
【図面の簡単な説明】
【００１２】
【図１】本発明の一実施形態に係る竪樋の取付構造（取付リブ、竪樋支持具、端部キャップ）を示す斜視図である。
【図２】本発明の一実施形態に係る竪樋の取付構造（取付リブ、端部キャップ）を示す斜視図である。
【図３】本発明の一実施形態に係る竪樋の取付構造を示す斜視図であり、竪樋（取付リブ）を竪樋支持具に取付ける状態を示す図である。
【図４】図１のＸ１−Ｘ１線矢視図であり、本発明の一実施形態に係る竪樋の取付構造を示す断面図である。
【図５】本発明の一実施形態に係る竪樋の取付構造の端部キャップを示す斜視図である。
【発明を実施するための形態】
【００１３】
以下、図１から図５を参照し、本発明の一実施形態に係る竪樋の取付構造について説明する。
【００１４】
図１から図４に示すように、本実施形態の竪樋の取付構造Ａは、竪樋１に設けられた取付リブ２と、住宅などの外壁Ｔの設置面Ｔ１に固設される竪樋支持具３と、取付リブ２に取り付けられる端部キャップ４とを備えて構成されている。
【００１５】
竪樋１は、図１から図４に示すように、筒状に形成された筒状体１ｂと、該筒状体１ｂの外周面１ａから筒状体１ｂの径方向外側に突出するとともに筒状体１ｂの軸方向Ｏ１へ延在する取付リブ２とを備えて形成されている。
【００１６】
また、取付リブ２は、図３及び図４に示すように、竪樋１の外周面１ａから径方向外側に延びる軸部５と、軸部５の突出方向先端に設けられ、軸部５を中心に竪樋１の軸線Ｏ１直交方向両側に突出して膨出状に形成された係止部６とを備えて断面略Ｔ字状に形成されている。さらに、取付リブ２は、内側に中空部７を備えて形成され、厚さを竪樋１の厚さと略同等にして形成されている。
【００１７】
また、係止部６は、竪樋１の外周面１ａ側を向く後端面が係止面６ａとされ、この係止面６ａが軸部５の中心軸Ｏ２に直交する方向に延びて形成されている。また、係止部６は、その先端面６ｂが略円弧面状に形成され、本実施形態では、係止部６の側面と先端面６ｂが交差するコーナー部分を円弧面状にして形成されている。そして、このような取付リブ２は、竪樋１を押出成形（や射出成形）で製造する際に、取付リブ２の形状に応じた金型を用いることによって、竪樋１とともに一体形成されている。
【００１８】
竪樋支持具３は、ＡＥＳ、ＡＢＳ、ポリカーボネート、ポリ塩化ビニルなどの樹脂を用いて押出成形や射出成形で形成され、図３及び図４に示すように、矩形ブロック状（矩形盤状）の固定部８と、固定部８の両側からそれぞれ、固定部８に直交して突設され、先端から内側に突出する係止片９ａを有する一対の係止片部９とを備えて断面略Ｃ字状に形成されている。これにより、竪樋支持具３は、側部の一対の係止片部９の間に軸方向Ｏ３（上下方向）に延びる嵌入溝１０を備えて形成されている。また、固定部８には、図４に示すように、竪樋支持具３の内面から外面に貫通する貫通孔１１が形成されている。
【００１９】
さらに、図３及び図４に示すように、係止片部９の係止片９ａは、固定部８側を向く面が係止面９ｂとされ、この係止面９ｂが軸Ｏ３に直交する方向に延びて（固定部８の内面に沿って）形成されている。また、係止片部９の係止片９ａは、外面が係止片部９の先端から嵌入溝１０に向かうに従い漸次竪樋支持具３の内側に向かうテーパー面（傾斜面）９ｃで形成されている。
【００２０】
一方、本実施形態の端部キャップ４は、図１、図２及び図５に示すように、取付リブ２の端部側を収容する中空部１２を有して略筒状に形成された取付リブ収容部１３と、取付リブ収容部１３の軸方向Ｏ４一端４ａ側の開口を閉塞させるように一体形成された蓋部１４とを備えて形成されている。また、この端部キャップ４は、取付リブ収容部１３の側面に、中空部１２が開口し、端部キャップ４の他端４ｂから一端４ａまで軸方向Ｏ４に沿って延びるスリット状の軸部挿通口１５が形成されている。また、端部キャップ４は、軸方向Ｏ４他端４ｂ側の開口が取付リブ挿通口１６とされている。そして、本実施形態では、この端部キャップ４が、軸方向Ｏ４の長さを予め所定の長さに設定して形成されている。
【００２１】
次に、上記構成からなる本実施形態の竪樋の取付構造Ａによって竪樋１を住宅などの外壁Ｔに取付る方法について説明するとともに、本実施形態の竪樋の取付構造Ａの作用及び効果について説明する。
【００２２】
図３及び図４に示すように、竪樋１を住宅などの外壁Ｔに取り付ける際（竪樋１の施工時）には、はじめに、竪樋支持具３を外壁Ｔの設置面Ｔ１に取り付ける。このとき、固定部８の貫通孔１１にビス（止具）１７を挿通し、このビス１７を外壁Ｔに螺入することによって、竪樋支持具３が固定部８を外壁Ｔの設置面Ｔ１に面接触させた状態で設置される。これにより、竪樋支持具３は、一対の係止片部９ひいては嵌入溝１０を外側に向けた状態で外壁Ｔに固定して設置される。
【００２３】
一方、図２及び図５に示すように、取付リブ２の端部に端部キャップ４を取り付ける。このとき、端部キャップ４の他端４ｂの取付リブ挿通口１６から取付リブ２を中空部１２内に挿入する。また、軸部挿通口１５に取付リブ２の軸部５を挿通させつつ端部キャップ４をスライド移動させ、蓋部１４を取付リブ２の端部に当接させる。これにより、取付リブ２の中空部７の開口を蓋部１４で閉塞した状態で端部キャップ４が取り付けられる。なお、予め端部キャップ４の内面に接着剤を塗布するなどして、端部キャップ４を取付リブ２の端部側に固設することが望ましい。
【００２４】
次に、図１、図３及び図４に示すように、取付リブ２に端部キャップ４を取り付けた状態の竪樋１を所定位置に配置するとともに、取付リブ２の係止部６の先端面６ｂが一対の係止片部９のテーパー面９ｃを押圧するようにして、竪樋１を竪樋支持具３の嵌入溝１０内に押し込む。このように竪樋１を押し込むと、取付リブ２の係止部６の円弧状の先端面６ｂと竪樋支持具３の係止片９ａのテーパー面９ｃが互いに案内し合って一対の係止片部９が外側に倒れるように弾性変形し、嵌入溝１０が拡張する。これにより、嵌入溝１０を通じて取付リブ２の係止部６が竪樋支持具３の嵌入溝１０の内部に入り込む。
【００２５】
また、このとき、取付リブ２の係止部６が中空状に形成されているため、その先端面６ｂを一対の係止片部９のテーパー面９ｃに押圧させた際、一対の係止片部９が弾性変形するとともに、この係止部６が弾性変形する。そして、一対の係止片部９の弾性変形量ひいては嵌入溝１０の拡張量が小さく抑えられた状態でも、取付リブ２の係止部６が弾性変形して、嵌入溝１０から竪樋支持具３の内部に挿入される。このため、一対の係止片部９（竪樋支持具３）が大きく弾性変形して破損するようなことがない。
【００２６】
また、このように取付リブ２の係止部６が竪樋支持具３の内部に挿入されると、係止部６の係止面６ａと一対の係止片部９の係止面９ｂが面接触し、取付リブ２の係止部６が竪樋支持具３の一対の係止片部９（係止片９ａ）に係止される。これにより、嵌入溝１０から取付リブ２の係止部６を竪樋支持具３の内部に押し込むだけで、竪樋１の竪樋支持具３への取付けが行える。
【００２７】
そして、上記のように取付リブ２を竪樋支持具３に取り付けた状態で竪樋１を竪樋支持具３に対して軸方向Ｏ１にスライド移動させ、竪樋１の上下の位置合わせを行う。このとき、本実施形態の端部キャップ４は軸線Ｏ４方向の長さを予め所定の長さにして形成されている。これにより、本実施形態では、図１に示すように、端部キャップ４の他端４ｂが竪樋支持具３に当接するように竪樋１をスライド移動させることによって、竪樋１が所定位置に位置決めされる。
【００２８】
ここで、本実施形態の竪樋の取付構造Ａにおいては、上記のように竪樋１を所定位置に設置した状態で、竪樋１の背面側に取付リブ２と竪樋支持具３と端部キャップ４が配設される。このため、竪樋の取付構造Ａが竪樋１の背面側に隠れ、外観を損なうことがない。
【００２９】
また、取付リブ２の端部に取り付けた端部キャップ４によって、取付リブ２の中空部７の開口が閉塞されている。このため、従来の竪樋の取付構造のように雨水等の水が取付リブ２の内部（中空部７）に浸入することがない。これにより、取付リブ２の内部に浸入した水が凍結し、凍結時の膨張圧が作用して取付リブ２などに損傷が生じることが防止される。
【００３０】
したがって、本実施形態の竪樋の取付構造Ａにおいては、取付リブ２の端部側に端部キャップ４を取り付けることにより、取付リブ２の中空部７の開口を閉塞することができる。これにより、取付リブ２の中空部７内に水が浸入することがなく、中空部７内に浸入した水が凍結して取付リブ２などに損傷が生じることを防止することが可能になる。
【００３１】
また、端部キャップ４が、取付リブ収容部１３と蓋部１４とを備えて形成され、取付リブ収容部１３の他端４ｂ側から取付リブ２を中空部１２内に挿入し、取付リブ２の端部側を収容するとともに、蓋部１４によって取付リブ２の中空部７の開口を閉塞させることができる。
【００３２】
そして、取付リブ２の端部側に取り付けた状態で竪樋支持具３に他端４ｂが当接する所定の長さで端部キャップ４を形成しておくことにより、取付リブ２を竪樋支持具３に係止させて竪樋１を取り付ける際に、所定の長さの端部キャップ４を位置決めストッパーとして兼用することが可能になる。
【００３３】
以上、本発明に係る竪樋の取付構造の一実施形態について説明したが、本発明は上記の一実施形態に限定されるものではなく、その趣旨を逸脱しない範囲で適宜変更可能である。
【符号の説明】
【００３４】
１      竪樋
１ａ    外周面
１ｂ    筒状体
２      取付リブ
３      竪樋支持具
４      端部キャップ
４ａ    一端
４ｂ    他端
５      軸部
６      係止部
６ａ    係止面
６ｂ    先端面
７      中空部
８      固定部
９      係止片部
９ａ    係止片
９ｂ    係止面
９ｃ    テーパー面
１０    嵌入溝
１１    貫通孔
１２    中空部
１３    取付リブ収容部
１４    蓋部
１５    軸部挿通口
１６    取付リブ挿通口
１７    ビス
Ａ      竪樋の取付構造
Ｏ１    竪樋の軸
Ｏ２    軸部の中心軸
Ｏ３    竪樋支持具の軸
Ｏ４    端部キャップの軸
Ｔ      外壁
Ｔ１    設置面
【図１】
0005616778.tif 000002
【図２】
0005616778.tif 000003
【図３】
0005616778.tif 000004
【図４】
0005616778.tif 000005
【図５】
0005616778.tif 000006